(57)【要約】【課題】  疑似携帯電話装置のモニタ画面に携帯電話装置実機のモニタ画面をそのまま綺麗に映し出すことが出来るようにする。【解決手段】  携帯電話装置実機に外観を類似させて成形した疑似ケース体１１と、この疑似ケース体に組み込んだモニタ装置１２と、携帯電話装置実機を格納する制御ボックス部２０とを備える。制御ボックス部は、その内部に格納した携帯電話装置実機２１の実機モニタ画面を撮像する撮像装置２３と、縦横方向に駆動されるＸＹ軸駆動機構部と、回動アーム装置４０を備え、ＸＹ軸駆動機構部は、駆動制御装置５０を介して駆動されるモータを備える。回動アーム装置は、アーム材と、このアーム材の基端部を回動駆動させるモータと、実機モニタ画面をタッチする先端接触部４２を備える。【選択図】    図１
0003165592.tif 000002
【実用新案登録請求の範囲】
【請求項１】
モニタ画面を指先でタッチすることによって搭載機能を実行する携帯電話装置用の疑似携帯電話装置であって、
この疑似携帯電話装置は、
携帯電話装置実機に外観を類似させて成形した疑似ケース体と、
この疑似ケース体に組み込んだモニタ装置と、
前記携帯電話装置実機を格納する制御ボックス部とを備え、
前記モニタ装置は、モニタ画面上に透明膜材で構成した位置入力装置を備えてなり、
前記制御ボックス部は、
その内部に格納した携帯電話装置実機の実機モニタ画面を撮像する撮像装置と、
この実機モニタ画面に対して、縦横方向に駆動されるＸＹ軸駆動機構部と、
このＸＹ軸駆動機構部を構成するＸ軸駆動機構およびＹ軸駆動機構のいずれか一方に搭載させた回動アーム装置を備え、
前記ＸＹ軸駆動機構部は、前記位置入力装置からの位置検出信号に基づいて駆動量を制御する駆動制御装置を介して、Ｘ軸駆動機構およびＹ軸駆動機構をそれぞれ駆動させる第一の小型モータ、第二の小型モータを備える一方、
前記回動アーム装置は、
アーム材と、
このアーム材の基端部を回動駆動させる第三の小型モータと、
前記実機モニタ画面をタッチする先端接触部とを備え、
前記第三の小型モータは、前記駆動制御装置を介して駆動タイミングを制御されるものであって、ＸＹ軸駆動機構部による位置決め後に、アーム材の先端接触部を下方回動させるものであることを特徴とするタッチ入力式の疑似携帯電話装置。
【請求項２】
先端接触部は、電気的に接地してあることを特徴とする請求項１記載のタッチ入力式の疑似携帯電話装置。
【請求項３】
ＸＹ軸駆動機構部を構成するＸ軸駆動機構およびＹ軸駆動機構は、リンク機構によって構成することを特徴とする請求項１または請求項２記載のタッチ入力式の疑似携帯電話装置。
【考案の詳細な説明】
【技術分野】
【０００１】
本考案は、携帯電話装置（実機）の機能等をわかりやすく顧客に示して販売促進を行うための、実機に似せた大型の疑似携帯電話装置に係り、とくにタッチ入力式の携帯電話装置用の疑似携帯電話装置に関する。
【背景技術】
【０００２】
携帯電話装置（ＰＨＳを含む；以下同じ）は広く一般に普及するに至ったが、新しいデザインや機能を備えた新型機種が次々と市場に投入され、競争が激化している。このため携帯電話装置を取り扱う各社は、新しいユーザーを獲得する目的や自社製品の機能説明を行う目的から、人目につきやすい店頭や特設会場において、携帯電話装置の説明イベントを行う。
【０００３】
携帯電話装置は寸法スケールが小さいことが特徴であるため、モニタ画面やスイッチ操作の手順をセミナーに参加した大勢のユーザに実際に体感してもらうのは困難である。このため本出願人は、小型の携帯電話装置の機能を、実機に似せた大型の疑似装置を使って説明することを着想し、高さ１７０〜１８０ｃｍ前後で、小型の携帯電話実機とまったく同じ操作で同じ機能を営む装置（疑似携帯電話装置）を提案した（特許文献１）。
【０００４】
この構造は、概略つぎの通りである（図７参照）。まず、実機と同じデザインに作ったケース体１があり、このケース体１に、画像モニタ装置２と、疑似スイッチボタン３と、スピーカ装置とを配しておく。画像モニタ装置２は、例えば液晶モニタやＣＲＴを用いる。ケース体１とのバランスを考慮して適当な大きさのものを使用する。５はスタンド、６はキャスターである。
【０００５】
一方、ケース体１の内部には、携帯電話実機７を配しておき、疑似スイッチボタン３の押圧によって作動する電磁ソレノイドを介して携帯電話実機７のダイヤルボタンをピストンによって押圧操作できるようにしておく。これにより、ケース体１の内部に配してある携帯電話実機７が作動して回線が接続され、携帯電話実機７のモニタ画面には、例えばインターネットのウェブサイト画像など何らかの画像が映し出される。この画像を、例えばＣＣＤカメラなど適宜の撮像手段を介して撮像し、ケース体１に配してある画像モニタ装置２に撮像データを送出することによって、疑似装置を扱っているユーザは、あたかも新製品である携帯電話実機７を扱っているのと同じ操作性能を体感することができる。
【０００６】
携帯電話実機７は、次々と新しい性能を搭載させて市場に登場するが、このような構造によれば、疑似装置の内部構造はほとんど変更することなく、ケース体１のデザイン変更だけでどのような機種にも対応でき、見た目のインパクトやわかりやすさの点でも優れていることから全国的に大きな反響を得た。
【特許文献１】実用新案登録第３０８５７６８号
【考案の開示】
【考案が解決しようとする課題】
【０００７】
ところで、近時の携帯電話装置（スマートフォン）の各種操作は、モニタ画面上に表示される機能アイコンや文字入力用の仮想キー（オンスクリーンキーボード；ソフトウェアキーボードともいう）を用いて行うことが多い。モニタ画面上の機能アイコンやオンスクリーンキーボードを指先でタッチすることによって、従来の機械的なボタンスイッチの押圧操作以上の機能速度が実現されるようになっている。カーソル移動の操作が不要となるからである。
【０００８】
問題は、特許文献１のように、電磁ソレノイドを介して携帯電話実機のダイヤルボタンを押圧操作する装置構成では、モニタ画面上の各種の機能アイコンやオンスクリーンキーボードを操作しにくい点にある。
【０００９】
また、電磁ソレノイドを用いてモニタ画面上の機能アイコンやオンスクリーンキーボードを押圧させることは、物理的には不可能ではない。しかし、その場合は、電磁ソレノイドを用いた押圧ワイヤ等の操作系装置が、携帯電話装置実機のモニタ画面に覆い被さる状態で配置されることになるため、実機のモニタ画面を撮像する撮像装置は、実機のモニタ画面を撮像することができない。撮像装置とモニタ画面の間に、押圧ワイヤ等の操作系装置が存在するからである。このような機構では、疑似携帯電話装置のモニタ画面に映し出される映像も実用に耐えないものとなる。
【００１０】
そこで、本考案の目的は、携帯電話装置実機を操作する操作系装置が、撮像装置の邪魔をすることがないようにすることによって、疑似携帯電話装置のモニタ画面に携帯電話装置実機のモニタ画面をそのまま綺麗に映し出すことが出来るようにする点にある。
【課題を解決するための手段】
【００１１】
前記目的を達成するため、本考案に係るタッチ入力式の疑似携帯電話装置は、モニタ画面を指先でタッチすることによって搭載機能を実行する携帯電話装置用の疑似携帯電話装置であって、この疑似携帯電話装置は、携帯電話装置実機に外観を類似させて成形した疑似ケース体と、この疑似ケース体に組み込んだモニタ装置と、前記携帯電話装置実機を格納する制御ボックス部とを備え、前記モニタ装置は、モニタ画面上に透明膜材で構成した位置入力装置を備えてなり、前記制御ボックス部は、その内部に格納した携帯電話装置実機の実機モニタ画面を撮像する撮像装置と、この実機モニタ画面に対して、縦横方向に駆動されるＸＹ軸駆動機構部と、このＸＹ軸駆動機構部を構成するＸ軸駆動機構およびＹ軸駆動機構のいずれか一方に搭載させた回動アーム装置を備え、前記ＸＹ軸駆動機構部は、前記位置入力装置からの位置検出信号に基づいて駆動量を制御する駆動制御装置を介して、Ｘ軸駆動機構およびＹ軸駆動機構をそれぞれ駆動させる第一の小型モータ、第二の小型モータを備える一方、前記回動アーム装置は、アーム材と、このアーム材の基端部を回動駆動させる第三の小型モータと、前記実機モニタ画面をタッチする先端接触部とを備え、前記第三の小型モータは、前記駆動制御装置を介して駆動タイミングを制御されるものであって、ＸＹ軸駆動機構部による位置決め後に、アーム材の先端接触部を下方回動させる（請求項１）。
【００１２】
先端接触部は、電気的に接地する場合がある（請求項２）。
【００１３】
ＸＹ軸駆動機構部を構成するＸ軸駆動機構およびＹ軸駆動機構は、リンク機構によって構成する場合がある（請求項３）。
【００１４】
請求項１に係る疑似携帯電話装置によれば、ＸＹ軸駆動機構部に搭載させた回動アーム装置を介して実機モニタ画面をタッチするので、携帯電話装置実機のモニタ画面上には、回動アーム装置が作動する時の一瞬の操作の時以外に、撮像装置が実機モニタ画面を邪魔するものが存在しない。
【００１５】
このため、疑似携帯電話装置のモニタ画面に映し出される画像は、携帯電話実機のモニタ画面そのままのものである。回動アーム装置が作動する一瞬は、当該回動アームの先端接触部が映し出されるが、これも、指先で実機モニタを操作している利用者自身の指先が映し出されているかのような錯覚を覚える高速スピードであるため、疑似携帯電話装置の利用者にとって、一瞬見える回動アーム装置の動きは殆ど違和感を覚えない。
【００１６】
請求項２のように、回動アーム装置の先端接触部を電気的に接地すれば、携帯電話実機のモニタ画面が、静電容量式のタッチパネル構成であっても、静電容量の変化を捉えてタッチ位置を検出できる。
【００１７】
請求項３のように、ＸＹ軸駆動機構部を構成するＸ軸駆動機構およびＹ軸駆動機構をリンク機構によって構成すれば、小型モータを利用した簡易なＸＹ軸駆動機構部を構成できる。
【考案の効果】
【００１８】
本考案に係るタッチ入力式の疑似携帯電話装置によれば、携帯電話装置実機を操作する操作系装置が、撮像装置の邪魔をすることがなくなり、疑似携帯電話装置のモニタ画面に携帯電話装置実機のモニタ画面をそのまま綺麗に映し出すことが可能となる。
【図面の簡単な説明】
【００１９】
【図１】実施形態に係る疑似携帯電話装置の全体構成を例示する図である。
【図２】実施形態に係るＸ軸駆動機構を例示する平面図である。
【図３】図２にＹ軸駆動機構のベース板を搭載した状態を例示する平面図である。
【図４】図３にＹ軸駆動機構を搭載させた状態を例示する平面図である。
【図５】図４に回動アーム装置を搭載させた状態を例示する平面図である。
【図６】図５の回動アーム装置に接地を施した状態を例示する平面図である。
【図７】従来の疑似携帯電話装置を示す図である。
【考案を実施するための形態】
【００２０】
図１は、本考案に係るタッチ入力式の疑似携帯電話装置の全体構成を例示するものである。
【００２１】
まず全体構成を説明すると、この疑似携帯電話装置は、携帯電話装置実機２１に外観を類似させて成形した疑似ケース体１１と、この疑似ケース体１１に組み込んだモニタ装置１２と、前記携帯電話装置実機２１を格納する制御ボックス部２０とを備える。モニタ装置１２は、そのモニタ画面上に透明膜材で構成した位置入力装置１４を備えている。
【００２２】
制御ボックス部２０は、その内部に格納した携帯電話装置実機２１の実機モニタ画面２２を撮像する撮像装置（例えばＣＣＤカメラ装置）２３と、この実機モニタ画面２２に対して、縦横方向に駆動されるＸＹ軸駆動機構部３０とを備える。
【００２３】
ＸＹ軸駆動機構部３０は、実機モニタ画面２２に沿ってスライドするＸ軸駆動機構（第一のスライド機構）３１と、該Ｘ軸駆動機構３１の移動方向に対して略直角にスライドするＹ軸駆動機構（第二のスライド機構）３５からなり、Ｘ軸駆動機構３１およびＹ軸駆動機構のいずれか一方に搭載させた回動アーム装置４０を備える。
【００２４】
ＸＹ軸駆動機構部３０は、位置入力装置１４からの位置検出信号に基づいて駆動量を制御する駆動制御装置５０を介して、Ｘ軸駆動機構３１およびＹ軸駆動機構３５をそれぞれ駆動させる第一の小型モータＭ１、第二の小型モータＭ２を備える。
【００２５】
回動アーム装置４０は、基端部を回動自在に軸着させたアーム材４１と、このアーム材４１の基端部を回動駆動させる第三の小型モータＭ３と、実機モニタ画面２２をタッチする先端接触部４２とを備え、第三の小型モータＭ３は、駆動制御装置５０を介して駆動タイミングを制御されるものであって、ＸＹ軸駆動機構部３０による位置決め後に、アーム材４１の先端接触部４２を下方回動させるものである。
【００２６】
次に各部を説明する。疑似ケース体１１は、樹脂板または金属板を用いて、形状、色合い等を携帯電話装置実機２１に似せて作成する。疑似ケース体１１は、そこに組み込むモニタ装置１２を見やすい大きさにした上で、全体の寸法を設定することが出来る。モニタ装置１２は、薄型の液晶テレビ装置を用いることが望ましい。
【００２７】
制御ボックス部２０は、疑似ケース体１１の背面など、目立たない場所に設置する。この制御ボックス部２０に格納する携帯電話装置実機２１は、モニタ画面（実機モニタ画面２２）を指先でタッチすることによって各種機能を実現するタッチ入力式の機種である。例えば、ｉＰｈｏｎ（登録商標）である。
【００２８】
図２〜図４は、制御ボックス部２０に格納するＸＹ軸駆動機構部３０の構成例を示すものである。なお、符号Ｔは、携帯電話装置実機２１の位置決めを行うための装着壁である。
【００２９】
まず、ＸＹ軸駆動機構部３０を構成するＸ軸駆動機構３１は、図２に示すように、実機モニタ画面２２に沿って配設したガイドレール３２と、このガイドレール３２に係合して滑動するスライド部材（スライダ）３３と、このスライド部材３３を駆動させるための第一の小型モータＭ１、およびリンク機構３４からなる。リンク機構３４は、二つのリンク材３４−１、３４−２によって構成し、一方のリンク材３４−１の基端部を小型モータＭ１の回転軸Ｍ１−２に軸着し、他方のリンク材３４−２の先端部をスライド部材３３に固定してなる。ガイドレール３２とスライド部材３３の位置関係は、ガイドレール３２の上面にガイドを形成しても良いし、ガイドレール３２の側面にガイドを形成しても良い。
【００３０】
Ｙ軸駆動機構３５は、例えば、図３に示すように、スライド部材３３に平面略Ｌ字状のベース板Ｂを固定し、当該ベース板Ｂをスライド部材３３に従動可能とした上で、ベース板Ｂの上に、図４に示すように、実機モニタ画面２２に対して垂直に配設したガイドレール３６を設ける。そして、このガイドレール３６に案内されて滑動するスライド部材３７と、このスライド部材３７を駆動させるための第二の小型モータＭ２と、リンク機構３８とを設けてＹ軸駆動機構３５を構成する。リンク機構３８は、二つのリンク材３８−１、３８−２によって構成し、一方のリンク材３８−１の基端部を小型モータＭ２の回転軸Ｍ２−２に軸着し、他方のリンク材３８−２の先端部をスライド部材３７に固定してなる。ガイドレール３６とスライド部材３７の位置関係は、ガイドレール３６の上面にガイドを形成しても良いし、ガイドレール３６の側面にガイドを形成しても良い。
【００３１】
図５は、回動アーム装置４０の構成を例示するものである。回動アーム装置４０は、例えば、スライド部材３７に搭載させる。回動アーム装置４０は、アーム材４１と、このアーム材４１の基端部を回動駆動させる第三の小型モータＭ３と、実機モニタ画面２２をタッチする先端接触部４２とを備えるが、いずれも、スライド部材３７に従動して、実機モニタ画面２２に対して垂直に進退動する。
【００３２】
第三の小型モータＭ３をスライド部材３７に搭載させるため、スライド部材３７には図示しない取付フランジを設けることが出来る。アーム材４１は、樹脂、金属いずれであっても良い。アーム材４１の先端部に設ける先端接触部４２は、実機モニタ画面２２と接触したときに当該実機モニタ画面２２を傷つけないようにするものである。アーム材４１の下降量によって接触時の衝撃を緩和調整できるから、必ずしも柔軟素材である必要はない。表面が滑らかな金属、樹脂を使用できる。
【００３３】
第三の小型モータＭ３は、駆動制御装置５０（図１参照）を介して駆動タイミングを制御される。駆動制御装置５０は、ＸＹ軸駆動機構部３０による位置決め後に、アーム材４１の先端接触部４２を下方回動させる。
【００３４】
駆動制御装置５０は、小型モータＭ１〜Ｍ３の駆動量と駆動タイミングを制御する。駆動制御装置５０における、小型モータＭ１〜Ｍ３の駆動量は、位置入力装置１４に表示される画像の大きさと実機モニタ画面２２に表示される画像の大きさの縮尺対比に基づいて、予め設定しておくことが出来る。両者は縮尺が違うだけの相似形だからである。なお、小型モータＭ１〜Ｍ３の駆動量を制御するためのドライバＩＣは、例えば、汎用のTA7291SGを使用することが出来る。
【００３５】
Ｘ軸駆動機構３１を構成する小型モータＭ１と、Ｙ軸駆動機構３５を構成する小型モータＭ２は、駆動の開始タイミングを同時としても良い。アーム材４１の先端接触部４２の位置決めができれば良いので、どちらか一方を優先して駆動する必要はないからである。しかしながら、アーム材４１の先端接触部４２は、座標が決まらなければ（位置決め後でなければ）下降駆動させることができない。このため、第三の小型モータＭ３は、ＸＹ軸駆動機構部３０による位置決め後に、アーム材４１の先端接触部４２を下方回動させる。
【００３６】
小型モータＭ１〜Ｍ３は、玩具・模型用の電気モータ、例えばマブチモータ（登録商標）を使用することが出来る。小型交流電動機であっても良いし小型直流電動機であっても良い。玩具・模型用の電気モータは、ＸＹ軸駆動機構部３０を駆動するのに十分なトルクと位置決め制御機能を備える。
【００３７】
従って、かかる疑似携帯電話装置によれば、実機モニタ画面２２を操作する操作系装置（ＸＹ軸駆動機構部３０および回動アーム装置４０）が、撮像装置２３の邪魔をすることがなく、疑似携帯電話装置のモニタ装置１２に携帯電話装置実機２１のモニタ画面（２２）をそのまま綺麗に映し出すことが出来る。
【００３８】
タッチ入力式のモニタ画面は、表示画面の上に透明膜材で構成した位置入力装置を配置することでタッチパネルを構成するが、位置入力装置（透明膜材）の作動原理は各種ある。近時の実機モニタ画面２２は、静電容量方式、とくに指先の多点検出が可能な投影型静電容量方式を用いることが多い。
【００３９】
この場合、実機モニタ画面２２と接触するアーム材４１の先端接触部４２が、単なる金属部材や樹脂部材であると、作動性能が良好ではない場合がある。そこで、望ましくは、図６に示すように、金属線Vを介してアーム材４１の先端接触部４２を電気的に接地する。金属線Vを介した接地先は、例えば、携帯電話装置実機２１を載せる金属製の基板Ｐとすることが出来る。実機モニタ画面２２のタッチパネルが静電容量方式の場合は、先端接触部４２を電気的に接地させておくことで誤作動のない正常動作を実現できる。
【００４０】
なお、疑似ケース体１１に組み込むモニタ装置１２をタッチパネルとするための位置入力装置１４は、静電容量方式に限らず、マトリクス・スイッチ、抵抗膜方式、表面弾性波方式など他の位置検出方式を用いることが出来る。
【００４１】
前記実施形態では、ＸＹ軸駆動機構部を構成するＸ軸駆動機構およびＹ軸駆動機構は、リンク機構によって構成する旨説明したが、リンク機構を使用せずに、ＸＹ軸駆動機構部を構成しても良い。歯車、あるいはラックアンドレールを用いてスライド部材を直接駆動する等である。
【符号の説明】
【００４２】
１１  疑似ケース体
１２  モニタ装置
１４  位置入力装置
２０  制御ボックス部
２１  携帯電話装置実機
２２  実機モニタ画面
２３  撮像装置
３０  ＸＹ軸駆動機構部
３１  Ｘ軸駆動機構（第一のスライド機構）
３２、３６  ガイドレール
３３、３７  スライド部材
３４、３８  リンク機構
３４−１、３４−２、３８−１、３８−２  リンク材
３５  Ｙ軸駆動機構（第二のスライド機構）
４０  回動アーム装置
４１  アーム材
４２  先端接触部
５０  駆動制御装置
Ｂ  ベース板
Ｍ１、Ｍ２、Ｍ３  小型モータ
Ｐ  基板
Ｔ  装着壁
Ｖ  金属線
【図１】
0003165592.tif 000003
【図２】
0003165592.tif 000004
【図３】
0003165592.tif 000005
【図４】
0003165592.tif 000006
【図５】
0003165592.tif 000007
【図６】
0003165592.tif 000008
【図７】
0003165592.tif 000009